(57)【要約】【課題】  弾球遊技機（パチンコ機）の組立作業における作業性を向上させる。【解決手段】  本発明に係るパチンコ機は、所定の遊技領域が設けられた遊技盤と、遊技盤を収容保持する前枠と、遊技球を遊技領域に向けて発射する遊技球発射装置と、前枠の前面に設けられて遊技球を貯留しつつ遊技球発射装置へ流下させる上球皿と、上球皿の下側に設けられて遊技球を貯留可能な下球皿７と、遊技球発射装置を作動させるための操作を行う発射ハンドル８とを備え、前枠の前面における上球皿の少なくとも下側を覆うカバー部材５０が前枠の前面に着脱可能に取り付けられており、下球皿７および発射ハンドル８がカバー部材５０の前面に固定されて、カバー部材５０とともに下球皿７および発射ハンドル８が一体的に前枠の前面側に着脱可能に取り付けられる。【選択図】  図４
2006230915.tif 000002
【特許請求の範囲】
【請求項１】
所定の遊技領域が設けられた遊技盤と、
前記遊技盤を収容保持する前枠と、
遊技球を前記遊技領域に向けて発射する遊技球発射装置と、
前記前枠の前面に設けられて遊技球を貯留しつつ前記遊技球発射装置へ流下させる上球皿と、
前記上球皿の下側に設けられて遊技球を貯留可能な下球皿と、
前記遊技球発射装置を作動させるための操作を行う発射ハンドルとを備え、
前記前枠の前面における前記上球皿の少なくとも下側を覆うカバー部材が前記前枠の前面に着脱可能に取り付けられており、
前記下球皿および前記発射ハンドルが前記カバー部材の前面に固定されて、前記カバー部材とともに前記下球皿および前記発射ハンドルが一体的に前記前枠の前面側に着脱可能に取り付けられることを特徴とする弾球遊技機。
【発明の詳細な説明】
【技術分野】
【０００１】
本発明は、パチンコ機に代表される弾球遊技機に関し、さらに詳しくは、弾球遊技機に構成される下球皿および発射ハンドルの取り付け構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞具に入賞させる遊技を行うように構成されている。
【０００３】
前枠の前面側には遊技球を貯留するための上球皿が設けられ、この上球皿に貯留された遊技球が裏面側に設けられた球送り装置に導かれて１球ずつ遊技球発射装置に供給されるようになっている。上球皿の下側には下球皿が設けられ、上球皿に貯留された遊技球がオーバーフローしたときや、遊技者が球抜きレバーを操作して上球皿から遊技球を抜いたときに、所定の球通路を流下してきた遊技球を貯留するようになっている（例えば、特許文献１を参照）。また、下球皿の右側には、遊技球の発射操作を行う発射ハンドルが設けられている。
【特許文献１】特開平７−１４８３３０号公報
【発明の開示】
【発明が解決しようとする課題】
【０００４】
しかしながら、従来のパチンコ機においては、下球皿や発射ハンドルを前枠に対して個別に取り付けていたため、下球皿や発射ハンドルを前枠に取り付ける作業は繁雑なものであった。
【０００５】
本発明は、このような問題に鑑みて成されたものであり、弾球遊技機の組立作業における作業性を向上させることを目的とする。
【課題を解決するための手段】
【０００６】
このような目的達成のため、本発明に係る弾球遊技機（例えば、実施形態におけるパチンコ機ＰＭ）は、所定の遊技領域が設けられた遊技盤と、遊技盤を収容保持する前枠と、遊技球を遊技領域に向けて発射する遊技球発射装置と、前枠の前面に設けられて遊技球を貯留しつつ遊技球発射装置へ流下させる上球皿と、上球皿の下側に設けられて遊技球を貯留可能な下球皿と、遊技球発射装置を作動させるための操作を行う発射ハンドルとを備え、前枠の前面における上球皿の少なくとも下側を覆うカバー部材が前枠の前面に着脱可能に取り付けられており、下球皿および発射ハンドルがカバー部材の前面に固定されて、カバー部材とともに下球皿および発射ハンドルが一体的に前枠の前面側に着脱可能に取り付けられる。
【発明の効果】
【０００７】
本発明によれば、カバー部材とともに下球皿および発射ハンドルが一体的に前枠の前面側に着脱可能に取り付けられるため、下球皿および発射ハンドルの前枠に対する取り付けが容易となることから、弾球遊技機の組立作業における作業性を向上させることができる。
【発明を実施するための最良の形態】
【０００８】
以下、本発明の好ましい実施形態について図面を参照しながら説明する。本発明に係る弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭを背面側から見た斜視図である。
【０００９】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられたダブル錠と称される施錠装置４を利用して常には外枠１と係合連結された閉止状態に保持される。
【００１０】
前枠２の前面（表面）上部側には、透明アクリル板やガラス板を有したガラス扉５が左端部のヒンジ（図示せず）を介して横開き開閉および着脱が自在に取り付けられ、施錠装置４により常には前枠２の前面を覆う閉止状態に保持される。ガラス扉５の背後に位置する前枠上部には、遊技盤１０の前面側を支持する前方支持部２１と、この前方支持部２１から後方に突出して遊技盤１０を着脱自在に収容する収容枠（図示せず）とが設けられており、この収容枠に立設姿勢で係止保持された遊技盤１０がガラス扉５を通して視認されるようになっている。また、前方支持部２１の左右上部にはスピーカ２２がそれぞれ配設されている。
【００１１】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１２】
前枠２の前面（表面）における上記ガラス扉５の下側には、上球皿６が左端のヒンジ機構２３（図２を参照）により横開き開閉および着脱可能に取り付けられ、常には右側に設けられたロック機構２４（図２を参照）によりガラス扉５の下側において前枠２の前面を覆った状態で係止保持されている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６や、遊技球発射装置２６から発射された遊技球を遊技盤１０に案内する発射レール（図示せず）等が設けられている。
【００１３】
前枠２の前面（表面）における上球皿６の下側には、図１に示すように、下球皿７が前方に突出して設けられている。この下球皿７は、上球皿６に貯留された遊技球（賞球）がオーバーフローしたときや、遊技者が上球皿６の球抜きレバー６ａを操作して上球皿６から遊技球を抜いたときに、前枠２側に形成された球皿通路２８および下球皿出口２９を介して送られてくる遊技球を受容して貯留するようになっている。また、下球皿７の右側には、遊技球発射装置２６を作動させるための遊技球の発射操作を行う発射ハンドル８が設けられている。
【００１４】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１５】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００１６】
パチンコ機ＰＭは、ガラス扉５、上球皿６、第１および第２裏セット盤４０，４５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【００１７】
このように概略構成されるパチンコ機ＰＭにあって、下球皿７および発射ハンドル８が前枠２の下部前面を覆うカバー部材５０に固定されている。そこで、カバー部材５０について図４および図５を追加参照しながら説明する。ここで、図４はカバー部材５０の斜視図、図５はカバー部材５０を取り外したパチンコ機ＰＭ下部の正面拡大図である。
【００１８】
カバー部材５０は、図４に示すように、ＡＢＳ樹脂等の樹脂材料を用いて、射出成形等の成形手段により、前枠２の前面における上球皿６の下側および右側（以下、図５に示すように、カバー面２７と称する）を覆う略Ｌ字形の板状に形成され、図示しないカバー取り付けネジを用いて前枠２の前面（カバー面２７）に対し着脱可能に取り付けられる。また、カバー部材５０の中央下部には、前述の下球皿出口２９が形成され、カバー部材５０の右上部には、施錠装置４の錠（図示せず）が嵌合する嵌合穴５１が形成される。
【００１９】
そして、下球皿７はカバー部材５０の前面中央にネジ等で固定され、発射ハンドル８はカバー部材５０の前面右側にネジ等で固定されるようになっている。また、図５に示すように、カバー面２７には、ネジ通過穴５５ａを有する複数のボス部５５が前方に突出して形成されており、このボス部５５にカバー部材５０のネジ穴（図示せず）の位置を合わせ、カバー取り付けネジ（図示せず）を前枠２の背面側からボス部５５のネジ通過穴５５ａに通過させて、カバー部材５０のネジ穴にそれぞれネジ固定することにより、図１および図３に示すように、カバー部材５０が前枠２の前面（カバー面２７）に取り付けられるようになっている。
【００２０】
このように構成されるパチンコ機ＰＭにおいて、前述のように、下球皿７および発射ハンドル８がカバー部材５０に固定されており、このカバー部材５０を前枠２の前面（カバー面２７）に取り付けることで、カバー部材５０とともに下球皿７および発射ハンドル８が一体的に前枠２の前面側に着脱可能に取り付けられる。これにより、下球皿７および発射ハンドル８の前枠２に対する取り付けが容易となることから、パチンコ機ＰＭの組立作業における作業性を向上させることができる。さらに、下球皿７および発射ハンドル８の前枠２に対する着脱が容易となることから、パチンコ機ＰＭの機種変更への対応を容易に行うことができる。
【００２１】
なお、カバー部材５０とともに下球皿７および発射ハンドル８が前枠２の前面側に取り付けられた状態で、コネクタ等を用いて発射ハンドル８等が各種制御基板（図示せず）と電気的に接続され、この状態で下球皿７および発射ハンドル８の前枠２に対する取り付け作業が終了する。
【００２２】
そして、以上のような構成のパチンコ機ＰＭによれば、カバー部材５０とともに下球皿７および発射ハンドル８が一体的に前枠２の前面側に着脱可能に取り付けられるため、下球皿７および発射ハンドル８の前枠２に対する取り付けが容易となることから、パチンコ機ＰＭの組立作業における作業性を向上させることができる。
【００２３】
なお、上述の実施形態において、カバー部材５０が前枠２の前面における上球皿６の下側および右側（カバー面２７）を覆うように構成されているが、これに限られるものではなく、例えば、カバー部材が前枠の前面における上球皿の下側のみを覆う構成のパチンコ機においても、下球皿および発射ハンドルがカバー部材に固定されていれば、本発明を適用することができる。
【００２４】
また、上述の実施形態において、本発明に係る弾球遊技機の一例であるパチンコ機ＰＭを例に説明したが、これに限られるものではなく、例えば、アレンジボール機や雀球遊技機等の弾球遊技機にも本発明を適用することができる。
【図面の簡単な説明】
【００２５】
【図１】本発明に係るパチンコ機を正面側から見た斜視図である。
【図２】上記パチンコ機のガラス扉および上球皿を開放して示す斜視図である。
【図３】上記パチンコ機を背面側から見た斜視図である。
【図４】カバー部材の斜視図である。
【図５】カバー部材を取り外したパチンコ機下部の正面拡大図である。
【符号の説明】
【００２６】
ＰＭ  パチンコ機（弾球遊技機）
ＰＡ  遊技領域
１  外枠
２  前枠
６  上球皿
７  下球皿
８  発射ハンドル
１０  遊技盤
２６  遊技球発射装置
５０  カバー部材
【図１】
2006230915.tif 000003
【図２】
2006230915.tif 000004
【図３】
2006230915.tif 000005
【図４】
2006230915.tif 000006
【図５】
2006230915.tif 000007